(57)【特許請求の範囲】
【請求項１】
前後方向に拡がる天板と、前記前後方向と交差する左右方向の回転軸を中心に前記天板が回転可能であるように、前記天板を保持する脚部と、前記天板の下方における前方寄りに配置される揺動軸を中心として揺動可能な幕板と、からなる折り畳みテーブルであって、
前記天板に取り付けられ、前記揺動軸を保持する揺動軸保持部を備え、
前記揺動軸保持部は、前記天板に沿った第１位置と、前記第１位置よりも前記天板からの距離が大きい第２位置と、の間で、前記揺動軸が移動可能であるように構成されており、
前記揺動軸保持部は、前記揺動軸を前記第２位置から前記第１位置の方向に付勢する付勢手段を有している
ことを特徴とする折り畳みテーブル。
【請求項２】
前記揺動軸保持部は、前記揺動軸に対して平行となる位置関係で前記天板に設けられた第２の回転軸と、前記第２の回転軸および前記揺動軸それぞれに対して連結される連結部材と、を備え、前記連結部材が前記第２の回転軸を中心に回転することにより前記揺動軸が前記第１位置と前記第２位置との間で移動可能となるものであり、
前記付勢手段は、前記揺動軸が前記第２位置から前記第１位置の方向に移動するように前記連結部材を付勢する
ことを特徴とする請求項１に記載の折り畳みテーブル。
【請求項３】
前記天板は、当該天板が水平となる使用状態と、当該天板が起立した状態となる収納状態と、に遷移可能であり、
前記付勢手段は、前記収納状態において前記揺動軸を前記第２位置から前記第１位置の方向に付勢する
ことを特徴とする請求項請求項１または請求項２に記載の折り畳みテーブル。
【請求項４】
前記幕板および前記脚部に対して回動可能に取り付けられ、前記天板の回転に伴って前記幕板を移動させるリンク部材を備える
ことを特徴とする請求項１から請求項３のいずれか１項に記載の折り畳みテーブル。
【発明の詳細な説明】
【技術分野】
【０００１】
本発明は、前後方向に拡がる天板と、前後方向と交差する左右方向の回転軸を中心に天板が回転可能であるように、天板を保持する脚部と、天板の下方における前方寄りに配置される揺動軸を中心として揺動可能な幕板と、からなる折り畳みテーブルに関する。
【背景技術】
【０００２】
テーブルを収納する際に、天板を回転させて天板を支える脚部に沿って起立させることで、収納するスペースを縮小できる折り畳みテーブルが利用されている。このようなテーブルにおいて、幕板が備えられているものは、天板が略水平である使用状態においては天板前方の下面にて、その主たる面が鉛直となるように幕板が配置される。そして、天板が脚部に沿う位置となるまで天板を回転させると、リンク機構を介して幕板も脚部に沿う位置に移動し、天板と幕板とが平行となりその一部が重なる収納状態となるように構成されることが一般的である。
【０００３】
しかしながら、上述した折り畳みテーブルでは、天板を回転させて収納状態にするにつれ、天板前方端部と幕板の前面との間の隙間が狭くなり、天板を回転させる操作を行う際に指を挟む虞がある。この場合、幕板の一端のリンク部分を支点として、梃の原理で力が指に加わるため、指が受ける力が非常に大きくなる場合があった。
【０００４】
そこで、従来、幕板と天板との間に一定の空隙を設け、天板の回転状態に関わらずその空隙を維持するように、リンク機構を介して幕板を取り付ける折り畳みテーブルが提案されている。このような折り畳みテーブルであれば、天板と幕板の間で指を挟む危険を低減できる（特許文献１参照）。
【特許文献１】特開２００４−１２１４４０号公報
【発明の開示】
【発明が解決しようとする課題】
【０００５】
しかしながら、上記特許文献１の技術では、常に天板と幕板との間に空隙が存在するため、幕板を、天板との間を詰めて配置することができず、折り畳みテーブルにデザイン上の制限が発生した。また、上記特許文献１の段落［００３０］，［００３１］には、上記空隙にコードを配線できる旨が記載されているが、コードにより空隙が埋まった状態では、天板の回転により指が挟まれて負傷する問題が解消しなくなる。さらに、天板と幕板とをリンクするための部品数が増加すると共に、幕板を天板から一定距離離すために、リンクするための部品を大きくする必要があり、それらの部品の回転移動により指を挟む虞があった。
【０００６】
本発明は、上記の問題を解決するためになされており、幕板の配置の制限が少なく、指を挟んで負傷することを抑制できる折り畳みテーブルを提供することを目的とする。
【課題を解決するための手段】
【０００７】
上述した問題を解決するためになされた請求項１に記載の折り畳みテーブルは、前後方向に拡がる天板と、前後方向と交差する左右方向の回転軸を中心に天板が回転可能であるように、天板を保持する脚部と、天板の下方における前方寄りに配置される揺動軸を中心として揺動可能な幕板と、からなる折り畳みテーブルである。
【０００８】
この折り畳みテーブルは、上記天板に取り付けられ、上記揺動軸を保持する揺動軸保持部を備えており、この揺動軸保持部は、天板に沿った第１位置と、第１位置よりも天板からの距離が大きい第２位置と、の間で、揺動軸が移動可能であるように構成されており、前記揺動軸保持部は、前記揺動軸を前記第２位置から前記第１位置の方向に付勢する付勢手段を有していることを特徴とする。
【０００９】
天板を回転させて天板の前方端部と幕板の間の隙間が狭くなると、その隙間で指を挟む危険があるが、上記折り畳みテーブルであれば、幕板と天板との間の揺動軸が移動するため、仮に幕板と天板との間に指を挟んでも、揺動軸を支点とした梃の原理で強い力が加わることがなくなるため、指が挟まれて負傷することを抑制できる。
【００１０】
また、上記折り畳みテーブルであれば、揺動軸を予め天板から一定の空隙を設けて配置する必要がないため、折り畳みテーブルのデザイン上の制限が少ない。
このように、請求項１に記載の折り畳みテーブルであれば、幕板の配置の制限を少なくし、指を挟んで負傷することを抑制することができる。
【００１１】
上述した揺動軸保持部は、揺動軸を上記第２位置から上記第１位置の方向に付勢する付勢手段を有している。
このように構成された折り畳みテーブルであれば、通常時には、揺動軸が天板に近い第１位置にあるため、天板と揺動軸との空隙が大きくなり過ぎることによる幕板の機能性やデザイン性を損なうことが無くなる。そして、指が挟まれた場合など、揺動軸に負荷が加えられた場合には第２位置に移動するので、指が挟まれて負傷する危険を低減できる。
【００１２】
また、上述した折り畳みテーブルは、上記揺動軸保持部が、揺動軸に対して平行となる位置関係で天板に設けられた第２の回転軸と、第２の回転軸および揺動軸それぞれに対して連結される連結部材と、を備え、その連結部材が第２の回転軸を中心に回転することにより揺動軸が第１位置と第２位置との間で移動可能となるものであり、さらに上記付勢手段が、揺動軸が第２位置から第１位置の方向に移動するように連結部材を付勢するように構成されていてもよい。
また、上述した折り畳みテーブルは、天板が、当該天板が水平となる使用状態と、当該天板が起立した状態となる収納状態と、に遷移可能であり、上記付勢手段が、収納状態において揺動軸を第２位置から第１位置の方向に付勢するように構成されていてもよい。
また、上述した折り畳みテーブルは、請求項４に記載したように、幕板および脚部と回動可能に取り付けられ、天板の回転に伴って幕板を移動させるリンク部材を備える構成としてもよい。
【００１３】
このように構成された折り畳みテーブルであれば、天板を回転させることで幕板を移動させることができる。なお、天板が略水平となる使用状態において幕板の主たる面が略垂直となるようにリンク部材を構成すると、折り畳みテーブルの使用状態において幕板が適切な位置に移動するため都合がよい。
【発明を実施するための最良の形態】
【００１４】
以下に本発明の実施形態を図面と共に説明する。
（１）全体構成
本実施例における折り畳みテーブル１の側面図を図１に示す。図１におけるＹ軸方向の左右が折り畳みテーブル１の前方および後方であり、Ｘ軸方向の奥側および手前側が折り畳みテーブル１の右方および左方であり、Ｚ軸方向の上下が折り畳みテーブル１の上方および下方となる。
【００１５】
折り畳みテーブル１は、折り畳みテーブル１の前後左右方向に拡がる天板１０と、折り畳みテーブル１の左右方向に延びる回転軸１１を中心として、天板１０が回転可能であるように天板１０を保持する一対の脚部２０と、天板１０の下方における前方寄りに配置される幕板３０と、からなる。
【００１６】
脚部２０は、折り畳みテーブル１の左右に設けられている（図１においては片方のみ図示）。この脚部２０は、天板１０から床面に向かって延びる主脚２１と、主脚２１から主脚２１の延びる方向と交差する方向に延びる副脚２２と、からなり、主脚２１および副脚２２の下端にはキャスター２３が設けられている。
【００１７】
幕板３０は、折り畳みテーブル１の上下左右方向に拡がる板状の部材であって、その主たる面のうち、後方側の面にリンクベース３１が取り付けられている。このリンクベース３１の一端には左右方向に延びる揺動軸３２が設けられており、他端には幕板３０と脚部２０とをリンクするリンク部材３３が設けられている。このリンク部材３３は、リンクベース３１および脚部２０と、それぞれ回転軸３４、回転軸３５において、回動可能に取り付けられている。
【００１８】
天板１０から幕板３０を取り外した状態の斜視図を図２に示す。
天板１０の下面（図２における天板１０の表側面）には、揺動軸３２を保持する揺動軸保持部５０が取り付けられている。この揺動軸保持部５０により、幕板３０は天板１０に対して揺動軸３２を中心として揺動可能となる。
【００１９】
揺動軸保持部５０は、天板１０に固定される天板固定金具５１と、天板固定金具５１とリンクベース３１とを連結する可動部５２とからなる。
上述した可動部５２の分解斜視図を図３に示す。
【００２０】
可動部５２は、リンクベース３１に設けられた揺動軸３２と平行に配置される筒状の幕板ブラケット軸５３と、幕板ブラケット軸５３および揺動軸３２を、軸の長手方向の両端から挟み込んで保持する幕板ブラケット５４（５４Ａ，５４Ｂ）と、幕板ブラケット軸５３を取り巻くように取り付けられるコイルバネ５５と、幕板ブラケット軸５３を挿通するなべ小ねじ５６と、なべ小ねじ５６を保持する幕板取付金具５７と、からなる。
【００２１】
上述した幕板ブラケット軸５３は、小ねじ５６に対して回動可能となっている。
また、幕板ブラケット５４は、揺動軸３２に対して回動可能となっている。
また、コイルバネ５５は、幕板ブラケット５４Ａおよび幕板取付金具５７と接触し、幕板ブラケット軸５３を回転軸として、幕板ブラケット５４Ａを図３におけるＡ方向に付勢する。このＡ方向は、図１においては時計回りの付勢方向となる。
【００２２】
なお、このコイルバネ５５の付勢力は、幕板３０を上方向に持ち上げ、幕板ブラケット５４が天板１０に接触する程度の力に設定されている。
（２）折り畳みテーブルの動作
まず、折り畳みテーブル１の折り畳み動作について説明する。
【００２３】
上述した図１は、天板１０の主たる面が水平となっている使用状態を示す図である。この使用状態において、幕板３０の主たる面は鉛直となっている。
使用状態における揺動軸保持部５０の拡大図を図４に示す。幕板ブラケット５４は、コイルバネ５５によって、幕板ブラケット軸５３を中心とした時計回り方向に付勢されている。そのため、幕板ブラケット５４における揺動軸３２を保持している側の端部は、天板１０に接触する位置まで回転している。このときの揺動軸３２の天板１０に対する位置が、本発明における第１位置である。
【００２４】
天板１０の後方（図１における右側）を上昇させるか、または、天板１０の前方を下降させていくと、図５に示すように、天板１０は回転軸１１を中心に回転する回転状態となる。
【００２５】
さらに天板１０を上記と同方向に回転させると、図６に示すように、天板１０が脚部２０の主脚２１に沿って起立状態となった収納状態となる。この状態において、幕板３０は、リンク部材３３により、天板１０の回転に伴って主脚２１に沿った位置に移動している。
【００２６】
収納状態における揺動軸保持部５０の拡大図を図７に示す。幕板ブラケット５４は、使用状態のときと同様に、コイルバネ５５によって時計回り方向に付勢されている。このときの付勢力は、図７におけるＢ方向に向いた力となる。
【００２７】
次に、揺動軸保持部５０の揺動軸移動動作について説明する。
図８は、収納状態において、幕板３０にＣ方向の力を加え、幕板ブラケット５４に上述したＢ方向と逆向きの力を与えることにより、揺動軸３２が天板１０から離れた位置に移動した揺動軸移動状態を示す図である。
【００２８】
上述した揺動軸移動状態における揺動軸保持部５０の拡大図を図９に示す。幕板３０に加わるコイルバネ５５による付勢力より強い力でＣ方向に付勢すると、幕板ブラケット５４が幕板ブラケット軸５３を回転軸として反時計回りに回転し、揺動軸３２が天板１０に沿った位置から、上記位置よりも天板１０からの距離が離れた位置まで移動する。このときの揺動軸３２の天板１０に対する位置が、本発明における第２位置である。
【００２９】
Ｃ方向への付勢を解除すると、幕板ブラケット５４は再度時計回りに回転し、揺動軸３２が第１位置に戻り、図７の収納状態に戻る。
（３）発明の効果
以上説明した折り畳みテーブル１は、幕板３０がコイルバネ５５から受ける付勢力の向きと反対する方向に幕板３０を移動すると、揺動軸３２が第１位置から第２位置に移動する。そのため、天板１０の前方を掴んで天板１０を回転させた場合など、指が天板１０と幕板３０との間に挟まると、その指に押されて幕板３０が天板１０から離れる方向に移動し、それに合わせて揺動軸３２が移動することとなる。
【００３０】
よって、上述した折り畳みテーブル１であれば、指が天板１０と幕板３０との間に挟まっても、揺動軸３２が移動するため、揺動軸３２が支点となって強い力で指が圧迫されることが無くなるので、指が負傷することを抑制できる。また、コイルバネ５５の付勢力は、使用状態において幕板３０を天板１０に持ち上げる程度に設定されているため、コイルバネ５５の付勢力により指が負傷することもない。
【００３１】
なお、上述した揺動軸３２の移動は、折り畳みテーブル１が収納状態である場合のみでなく、使用状態、回転状態である場合においても実現するので、折り畳みテーブル１がいずれの状態であっても、指が天板１０と幕板３０に挟まれて負傷することが抑制できる。
【００３２】
また、幕板３０が指などで押圧されない通常時には、コイルバネ５５の付勢力により、揺動軸３２が天板１０に沿った第１位置に位置している。よって、使用状態において幕板３０が天板１０から離れてしまうことを防止できるので、天板１０と幕板３０との間に大きな空隙が発生してしまい、幕板３０の機能を発揮できないことや、折り畳みテーブル１のデザイン性が損なわれることが防止できる。
（４）変形例
以上、本発明の実施の形態について説明したが、本発明は、上記実施形態に何ら限定されることはなく、本発明の技術的範囲に属する限り種々の形態をとり得ることはいうまでもない。
【００３３】
例えば、上記実施形態においては、幕板ブラケット５４が幕板ブラケット軸５３を中心として回転することで揺動軸３２が移動する構成を例示したが、揺動軸３２が移動することができれば、揺動軸保持部５０の具体的な構成は特に限定されない。例えば、図１０に示すように、揺動軸３２を上下方向に移動可能に保持するレール６０が天板１０の下面に形成される構成が考えられる。その場合には、揺動軸３２がバネ６１などの付勢手段にて天板１０側に付勢されるように構成してもよい。
【００３４】
また、上記実施形態においては、幕板３０が指などで押圧されない通常時には、揺動軸３２が天板１０に沿った第１位置に位置する構成を例示したが、図１１に示すように、揺動軸３２がコイルバネ５５に付勢された状態で、天板１０と一定の空隙７０を設けた位置に配置される構成としてもよい。
【００３５】
このように構成された折り畳みテーブルであれば上記空隙７０にコードを通過させて配線するなどして使用することができ、その状態で天板１０を回転させても、天板１０と幕板３０とでコードを挟む虞がない。さらに、天板１０を回転させ、指をコードなどと同時に挟んでしまった場合であっても、揺動軸３２は天板１０から離れる方向に移動するため、指を負傷することが抑制できる。
【図面の簡単な説明】
【００３６】
【図１】本実施例の折り畳みテーブルの使用状態における側面図
【図２】天板から幕板を取り外した状態の斜視図
【図３】可動部の分解斜視図
【図４】揺動軸保持部の使用状態における側面図
【図５】折り畳みテーブルの回転状態における側面図
【図６】折り畳みテーブルの収納状態における側面図
【図７】揺動軸保持部の収納状態における側面図
【図８】折り畳みテーブルの揺動軸移動状態における側面図
【図９】揺動軸保持部の揺動軸移動状態における側面図
【図１０】揺動軸保持部の変形例を示す側面図
【図１１】揺動軸保持部の変形例を示す側面図
【符号の説明】
【００３７】
１…折り畳みテーブル、１０…天板、１１…回転軸、２０…脚部、２１…主脚、２２…副脚、２３…キャスター、３０…幕板、３１…リンクベース、３２…揺動軸、３３…リンク部材、３４…回転軸、３５…回転軸、５０…揺動軸保持部、５１…天板固定金具、５２…可動部、５３…幕板ブラケット軸、５４…幕板ブラケット、５５…コイルバネ、５６…なべ小ねじ、５７…幕板取付金具、６０…レール、６１…バネ、７０…空隙
【図１】
0005356682.tif 000002
【図２】
0005356682.tif 000003
【図３】
0005356682.tif 000004
【図４】
0005356682.tif 000005
【図５】
0005356682.tif 000006
【図６】
0005356682.tif 000007
【図７】
0005356682.tif 000008
【図８】
0005356682.tif 000009
【図９】
0005356682.tif 000010
【図１０】
0005356682.tif 000011
【図１１】
0005356682.tif 000012